(57)【特許請求の範囲】
【請求項１】
展開時の表面領域を２つに区分する第１折り返しライン、前記第１折り返しラインと直交するラインであって前記表面領域を２つに区分する第４折り返しライン、及び前記第４折り返しラインと平行なラインであって前記第４折り返しラインに対して対称な位置に設けられた２つの第２折り返しラインを有しており、前記第１折り返しラインを折り返し、次に前記第４折り返しラインを折り返し、さらに前記第２折り返しラインを折り返すことによって折りたたまれた基材と、
前記基材の前記第１折り返しラインと平行な１辺の外縁部に設けられ、前記第１折り返しラインが折り返されたときに、その折り返しにより前記基材同士が重なり合わない第１外縁部と、
前記基材の前記第１折り返しラインと直交する１辺の外縁部に設けられ、前記第２折り返しラインが折り返されたときに、その折り返しにより前記基材同士が重なり合わない第２外縁部と、
前記第２外縁部に設けられ、前記第２折り返しライン及び前記第４折り返しラインと平行なラインであり、前記第２折り返しラインが折り返された後に前記第２折り返しラインと同一方向に折り返された第３折り返しラインと、
前記第４折り返しラインが折り返されたときに前記第１折り返しライン近傍の領域を剥離可能に接着した第４接着剤部と、
前記第４折り返しラインが折り返されたときに前記第１外縁部の所定領域を剥離不能に接着した第５接着剤部と、
前記第２折り返しラインが折り返されたときに前記第１折り返しライン近傍の領域を剥離可能に接着した第１接着剤部と、
前記第２折り返しラインが折り返されたときに前記第１外縁部の所定領域を剥離不能に接着した第２接着剤部と、
前記第３折り返しラインが折り返されたときに前記第２外縁部の所定領域を剥離不能に接着した第３接着剤部と、
前記基材から前記第１外縁部を分離するための第１裁断ラインと、
前記第３折り返しラインが折り返されて前記第２外縁部の所定領域が接着された後に、厚み方向において前記第２外縁部の前記第４折り返しラインより外側に位置する部分を分離するための第２裁断ラインと
を備えることを特徴とするフォーム。
【請求項２】
請求項１に記載のフォームにおいて、
前記基材の外側となる面の所定領域には、フォームの受取人の属性情報が印字された属性情報印字部を備える
ことを特徴とするフォーム。
【請求項３】
請求項１又は請求項２に記載のフォームにおいて、
前記第１接着剤部及び前記第４接着剤部は、接着剤層と接着力抑制層とが積層されたものである
ことを特徴とするフォーム。
【発明の詳細な説明】
【０００１】
【発明の属する技術分野】
この発明は、基材に宛名等を印字し、その基材を折り返すこと等で、郵送等の送付可能な形態にするフォームに関するものである。
【０００２】
【従来の技術】
図８は、従来のメールフォームの一例を示す平面図である。図８中、（ａ）は表面図を示し、（ｂ）は裏面図を示す。このメールフォーム１０は、基材１１と、基材１１上の所定領域に設けられた接着剤部１３等を備える。基材１１には、折り返し可能なミシン目１２（１２ａ〜１２ｅ）が形成されており、これらのミシン目１２によって図中上下方向に連続する６つの基材部１１ａ〜１１ｆに区分されている。各基材部１１ａ〜１１ｆには、全ての顧客に対して共通する共通情報（図示せず）が予め印刷されており、さらに、顧客の宛名等を印字する印字領域（図示せず）を有している。また、接着剤部１３（１３ａ〜１３ｅ）は、基材部１１ａ〜１１ｆ同士が圧着されると、両者を剥離可能に接着させる接着力を有するものである。接着剤部１３は、基材１１上の図中斜線部領域に示す位置に設けられている。
【０００３】
先ず、メールフォーム１０の基材１１の印字領域には、顧客の宛名等がプリンタによって印字される。そして、基材１１は、各ミシン目１２ａ〜１２ｅから折り返される。各ミシン目１２ａ〜１２ｅは、それぞれ交互に反対方向に折り返される。すなわち、ミシン目１２ａ、１２ｃ、及び１２ｅは、それぞれ基材部１１ａと１１ｂ、１１ｃと１１ｄ、及び１１ｄと１１ｅの表面側同士が密着するように折り返される。ミシン目１２ｂ、及び１２ｄは、それぞれ基材部１１ｂと１１ｃ、及び１１ｄと１１ｅの裏面側同士が密着するように折り返される。
【０００４】
これが加圧されると、基材部１１ａと１１ｂとは、接着剤部１３ａにより、ミシン目１２ａ以外の３辺の外縁部の領域で剥離可能に接着される。同様に、基材部１１ｂと１１ｃ、１１ｃと１１ｄ、１１ｄと１１ｅ、及び１１ｅと１１ｆは、それぞれ接着剤部１３ｂ、１３ｃ、１３ｄ、及び１３ｅにより、それぞれミシン目１２ｂ、１２ｃ、１２ｄ、及び１２ｅ以外の３辺の外縁部の領域で剥離可能に接着される。これにより、メールフォーム１０が封止され、郵送等の送付可能な形態となる。この形態で、メールフォーム１０は顧客に発送される。なお、この状態では、折りたたまれた基材部１１ａ〜１１ｆの全ての外縁部が接着されているので、内部に印刷又は印字された内容等が見えることはない。
【０００５】
メールフォーム１０の受取人は、各接着剤部１３を剥離して、メールフォーム１０を開封、すなわち図８の状態に再度展開することができ、印刷，印字された内容を見ることができる。以上のようにしてダイレクトメール等を発送すれば、印刷物を封筒に封入する必要がなくなり、コストの低減を図ることができる。
【０００６】
【発明が解決しようとする課題】
しかし、前述の従来のメールフォームでは、その基材１１が縦長となってしまうので、読みにくいという問題があった。ここに、折りたたまれた基材１１を展開したときは、基材１１が正方形に近い形態である方が読みやすいというニーズが多い。
また、メールフォーム１０の外縁部は、接着剤部１３により剥離可能に接着されているため、完全接着（剥離不能に接着）されているものよりも接着強度が弱いので、送付の途中でメールフォーム１０に過負荷が加わると、自然剥離してしまうおそれがあった。
本発明の課題は、開封したときに読みやすく、かつ、送付の途中で剥離してしまうおそれを防止したフォームを提供することにある。
【００１４】
【課題を解決するための手段】
請求項１の発明は、展開時の表面領域を２つに区分する第１折り返しライン、前記第１折り返しラインと直交するラインであって前記表面領域を２つに区分する第４折り返しライン、及び前記第４折り返しラインと平行なラインであって前記第４折り返しラインに対して対称な位置に設けられた２つの第２折り返しラインを有しており、前記第１折り返しラインを折り返し、次に前記第４折り返しラインを折り返し、さらに前記第２折り返しラインを折り返すことによって折りたたまれた基材と、前記基材の前記第１折り返しラインと平行な１辺の外縁部に設けられ、前記第１折り返しラインが折り返されたときに、その折り返しにより前記基材同士が重なり合わない第１外縁部と、前記基材の前記第１折り返しラインと直交する１辺の外縁部に設けられ、前記第２折り返しラインが折り返されたときに、その折り返しにより前記基材同士が重なり合わない第２外縁部と、前記第２外縁部に設けられ、前記第２折り返しライン及び前記第４折り返しラインと平行なラインであり、前記第２折り返しラインが折り返された後に前記第２折り返しラインと同一方向に折り返された第３折り返しラインと、前記第４折り返しラインが折り返されたときに前記第１折り返しライン近傍の領域を剥離可能に接着した第４接着剤部と、前記第４折り返しラインが折り返されたときに前記第１外縁部の所定領域を剥離不能に接着した第５接着剤部と、前記第２折り返しラインが折り返されたときに前記第１折り返しライン近傍の領域を剥離可能に接着した第１接着剤部と、前記第２折り返しラインが折り返されたときに前記第１外縁部の所定領域を剥離不能に接着した第２接着剤部と、前記第３折り返しラインが折り返されたときに前記第２外縁部の所定領域を剥離不能に接着した第３接着剤部と、前記基材から前記第１外縁部を分離するための第１裁断ラインと、前記第３折り返しラインが折り返されて前記第２外縁部の所定領域が接着された後に、厚み方向において前記第２外縁部の前記第４折り返しラインより外側に位置する部分を分離するための第２裁断ラインとを備えることを特徴とする。
【００１５】
請求項２の発明は、請求項１に記載のフォームにおいて、前記基材の外側となる面の所定領域には、フォームの受取人の属性情報が印字された属性情報印字部を備えることを特徴とする。
【００１６】
請求項３の発明は、請求項１又は請求項２に記載のフォームにおいて、前記第１接着剤部及び前記第４接着剤部は、接着剤層と接着力抑制層とが積層されたものであることを特徴とする。
【００１７】
本発明においては、第１折り返しライン及び第２折り返しラインが折り返されるとともに、これらの折り返し時に第１接着領域が剥離可能に接着され、第２接着領域及び第３接着領域が剥離不能に接着されることにより、封止され、略封筒状体に形成される。
このフォームを開封するときは、第１裁断ライン及び第２裁断ラインを裁断するとともに、剥離可能に接着された第１接着領域を剥離する。
【００１８】
【発明の実施の形態】
以下、図面等を参照して、本発明の一実施形態について、メールに使う場合を例に説明する。図１は、本発明の第１の実施形態であるメールフォーム２０を示す平面図である。図１中、（ａ）は表面図を示し、（ｂ）は裏面図を示す。
メールフォーム２０の基材２１は、例えば連量７０Ｋｇ程度の上質紙から形成されている。基材２１には、折り適性を有するものが選定される。基材２１の両面側の所定領域には、例えば宣伝広告等が印刷されている。
【００１９】
基材２１には、後に折り返しされる折り返しライン２２並びに２３ａ、２３ｂ及び２３ｃが設けられている。
これらの折り返しライン２２並びに２３ａ、２３ｂ及び２３ｃにより、基材２１の領域は、基材部２１ａ〜２１ｈに区分されている。
折り返しライン２２は、基材２１の領域を図中左右方向に２つに区分するラインである。また、折り返しライン２３ａ、２３ｂ及び２３ｃは、折り返しライン２２と直交するラインであり、基材２１の領域を４つに区分するラインである。
【００２０】
基材２１の折り返しライン２２と平行な１辺（図１（ａ）中、左辺）の近傍には、裁断可能なミシン目２４ａが設けられている。また、ミシン目２４ａと直交する１辺（図１（ａ）中、上辺）には、３本の平行なミシン目２４ｂ、２４ｃ及び２４ｄが設けられている。
【００２１】
ここで、ミシン目２４ａと折り返しライン２２との間の長さと、折り返しライン２２と図１（ａ）中、右辺との間の長さとは、略同一となるように設定される。さらに、ミシン目２４ｂと折り返しライン２３ｂとの間の長さと、折り返しライン２３ｂと２３ａとの間の長さと、折り返しライン２３ａと２３ｃとの間の長さと、折り返しライン２３ｃと図１（ａ）中下辺との間の長さとは、略同一となるように設定される。
【００２２】
基材部２１ａの表面側には、メールフォーム２０の受取人の宛名等を印字するための印字領域２１ａ−１が設けられている。この基材部２１ａの表面側は、メールフォーム２０が封止されたときに、外面となる部分である。
【００２３】
一方、基材２１の表面及び裏面には、接着剤部２５（２５ａ〜２５ｆ；図１中斜線部領域）及び２６（２６ａ〜２６ｃ；図１中、×印領域）が設けられる。これらの接着剤部２５及び２６は、予め設けられているのではなく、メールフォーム２０が折りたたまれるときに設けられるものである。接着剤部２５は、基材２１同士を剥離不能に強接着するものである。また、接着剤部２６は、基材２１同士を剥離可能に弱接着するものである。
【００２４】
基材２１の表面側において、接着剤部２５ａは、折り返しライン２２の右側かつミシン目２４ｃの上側の領域に設けられる。接着剤部２５ｂは、基材部２１ｂの折り返しライン２３ａ近傍に設けられる。接着剤部２５ｃは、基材部２１ｃ及び２１ｄのミシン目２４ａの外側領域に設けられる。
また、接着剤部２６ａは、基材部２１ｆ及び２１ｇの折り返しライン２２近傍の領域に設けられる。接着剤部２６ｂは、基材部２１ｅ及び２１ｈの折り返しライン２２近傍の領域に設けられる。接着剤部２６ｃは、基材部２１ｃ及び２１ｄの折り返しライン２２近傍に設けられる。
【００２５】
なお、接着剤部２６の領域には、予めニス等を塗布しておき、メールフォーム２０の加工時に接着剤を塗布する方式が採られる。これは、ニス等により接着剤の接着力を弱めて、基材２１同士を剥離可能に接着するためである。
【００２６】
一方、基材２１の裏面側において、基材部２１ａ及び２１ｄのミシン目２４ａの外側領域には、接着剤部２５ｄが設けられる。
また、基材部２１ｂ及び２１ｃのミシン目２４ａの外側領域には、接着剤部２５ｅが設けられる。
さらに、ミシン目２４ｃの上側かつミシン目２４ａの外側には、接着剤部２５ｆが設けられる。
【００２７】
次に、メールフォーム１０の使用方法について説明する。
メールフォーム１０は、帳票加工装置により処理される。メールフォーム２０は、最初は連続帳票状であり、この状態で宣伝広告等が印刷される。さらに、基材部２１ａの印字領域２１ａ−１には、メールフォーム２０の受取人の宛名等が印字される。そして、各基材２１ごとに裁断され、折りたたみが行われる。また、基材２１の両面側の所定領域には、上述の接着剤部２５及び２６が形成される。この形成は、基材２１の両面側から、例えばノズル等で接着剤を塗布すること等により行われる。
【００２８】
次に、メールフォーム２０の折り返しライン２２並びに２３ａ、２３ｂ及び２３ｃが折り返される。図２〜図５は、メールフォーム２０の折り返しを説明するための図である。
先ず、図２に示すように、折り返しライン２２が折り返される。折り返しライン２２は、基材部２１ａと２１ｅ、基材部２１ｂと２１ｆ、基材部２１ｃと２１ｇ、及び基材部２１ｄと２１ｆとの裏面側同士が重なるように折り返される。なお、この折り返しによっては、接着剤部２５及び２６は、いかなる部分も接着されない。
【００２９】
次に、図３に示すように、折り返しライン２３ａが折り返される。折り返しライン２３ａは、基材部２１ｅと２１ｈ、及び基材部２１ｆと２１ｇとの表面側が重なるように折り返される、これにより、接着剤部２５ｄ同士及び２５ｅ同士が接着され、この領域においては、基材２１が剥離不能に接着される。また、接着剤部２６ａ同士及び２６ｂ同士が接着される。これにより、この領域においては、基材２１が剥離可能に接着される。
【００３０】
続いて、図４に示すように、折り返しライン２３ｃ及び２３ｂが折り返される。折り返しライン２３ｃ及び２３ｂは、基材部２１ｇと２１ｈとの表面側同士が重なるように折り返される。これにより、接着剤部２５ｃ同士が接着され、この領域においては、基材２１が剥離不能に接着される。また、接着剤部２６ｃ同士が接着され、この領域においては、基材２１同士が剥離可能に接着される。
【００３１】
さらに、図５に示すように、ミシン目２４ｃが折り返される。ミシン目２４ｃは、ミシン目２４ｃより外側部分と基材部２１ｂの表面側が重なるように折り返される。これにより、接着剤部２５ａ及び２５ｆと接着剤部２５ｂとが接着され、この領域においては、基材２１が剥離不能に接着される。
【００３２】
以上の工程により、メールフォーム２０は、封止される。図６は、封止されたメールフォーム２０を示す図である。図中、（ａ）は表面図を示し、（ｂ）は裏面図を示す。封止されたメールフォーム２０の外面側は、それぞれ基材部２１ａ及び２１ｂの、図１中表面側となる。この状態で、メールフォーム２０は、郵送等の送付により受取人に送られる。
【００３３】
ここで、図６（ａ）において、メールフォーム２０の右辺のみが剥離可能に接着されている部分となり、上辺及び左辺側が剥離不能に接着され、さらに下辺が折り返しライン２３ｂであるので、郵送等の送付途中で自然剥離して、メールフォーム２０が開封してしまうことはない。
【００３４】
受取人は、メールフォーム２０を受け取ると、これを開封する。開封は、図６において、ミシン目２４ａ並びに２４ｂ及び２４ｄを裁断することにより行う。ミシン目２４ａが裁断されると、接着剤部２５ｄ同士、接着剤部２５ｅ同士、接着剤部２５ｃ同士、及び接着剤部２５ｆと２５ｂとにより接着されている部分がメールフォーム２０から分離される。また、ミシン目２４ｂ及び２４ｄが裁断されると、ミシン目２４ｄの外側部分が基材部２５ｂ側に残るともに、ミシン目２４ｂと２４ｄとの間の部分が分離される。
【００３５】
これにより、メールフォーム２０は、接着剤部２６によって剥離可能に接着されている部分のみとなる。よって、受取人は、接着剤部２６で接着されている部分を剥離することにより、メールフォーム２０を開封することができる。
メールフォーム２０が開封されると、図１で示したような、基材２１が展開された状態となる。したがって、受取人は、基材２１に印刷等された宣伝広告等を一覧することができるようになる。
【００３６】
メールフォーム２０の用途としては、例えば、ガソリンスタンドのダイレクトメールに用いることがあげられる。表面側には、個人メッセージ、期間限定サービス内容及びクーポン券等を出力するとともに、裏面側には、キャンペーン案内等を出力する。また、定期刊行物（月刊誌、季刊誌）に用いることがあげられる。表面側には、個人メッセージ、トピックス及びサービス情報等を出力するとともに、裏面側には、新聞のように内容を出力する。
【００３７】
図７は、本発明の第２の実施形態であるメールフォーム３０を示す平面図である。図１中、（ａ）は表面図を示し、（ｂ）は裏面図を示す。
この実施形態でのメールフォーム３０では、図中左右方向に延在する２つの折り返しライン３３ａ及び３３ｂを有する（第１の実施形態では、３つの折り返しライン２３ａ〜２３ｃを有する）。
【００３８】
メールフォーム３０では、折り返しライン３２が、基材３１の裏面側同士が重なるように折り返され、次に、折り返しライン３３ｂが、基材部３１ｅと３１ｆとの表面側同士が重なるように折り返され、さらに折り返しライン３３ａが、基材部３１ｄと３１ｃとの表面側同士が重なるように折り返される。そして、ミシン目３４ｃが折り返される。これにより、第１の実施形態と同様に封止される。
メールフォーム３０の受取人は、ミシン目３４ａ並びにミシン目３４ｂ及び３４ｄを裁断することにより、メールフォーム３０を開封することができる。
【００３９】
以上、本発明の一実施形態について説明したが、本発明は、上述した実施形態に限定されることなく、均等の範囲内で以下のような種々の変形が可能である。
（１）第１の実施形態では、上下方向に１つの折り返しライン２２を設け、左右方向に３つの折り返しライン２３ａ〜２３ｃを設け、また、第２の実施形態では、上下方向に１つの折り返しライン３２を設け、左右方向に２つの折り返しライン３３ａ及び３３ｂを設けたが、これに限ることなく、互いに直交する１つ以上の折り返しラインを設けた全てのものに対して、本発明を適用することができる。
【００４０】
（２）ミシン目３４ｃは、折り返しライン３２等と同様のラインであっても良い。
（３）ミシン目３４ａ等は、裁断ラインを明示することができれば良く、必ずしもミシン目である必要はない。例えば、ミシン目３４ａ等を裁断ラインとして、受取人がはさみ等を用いてメールフォームを裁断するようにしても良い。
（４）基材２１の裏面側にも、個別の情報を印字等しても良い。
（５）実施形態では、剥離不能に接着する場合と剥離可能に接着する場合とで、それぞれ密着する面の両側に接着剤を設けたが、これに限らず、接着強度等に応じて少なくとも一方の面に設ければ良い。
【００４１】
【発明の効果】
本発明によれば、送付の途中で自然剥離してしまうことを防止することができる。また、開封後にはチラシ感覚でフォームを一覧することができるので、フォームの見やすさを高めることができる。
【図面の簡単な説明】
【図１】本発明の第１の実施形態であるメールフォーム２０を示す平面図である。
【図２】折り返しライン２２が折り返されるときの様子を示す斜視図である。
【図３】折り返しライン２３ａが折り返されるときの様子を示す斜視図である。
【図４】折り返しライン２３ｃ及び２３ｂが折り返されるときの様子を示す斜視図である。
【図５】ミシン目２４ｃが折り返されるときの様子を示す斜視図である。
【図６】封止されたメールフォーム２０を示す図である。
【図７】本発明の第２の実施形態であるメールフォーム３０を示す平面図である。
【図８】従来のメールフォームの一例を示す平面図である。
【符号の説明】
２０  メールフォーム
２１  基材
２１ａ〜２１ｈ  基材部
２１ａ−１  印字領域
２２  折り返しライン
２３ａ〜２３ｃ  折り返しライン
２４ａ〜２４ｄ  ミシン目
２５ａ〜２５ｆ  接着剤部
２６ａ〜２６ｃ  接着剤部
【図１】
0003743585.tif 000002
【図２】
0003743585.tif 000003
【図３】
0003743585.tif 000004
【図４】
0003743585.tif 000005
【図５】
0003743585.tif 000006
【図６】
0003743585.tif 000007
【図７】
0003743585.tif 000008
【図８】
0003743585.tif 000009